(57)【要約】  【課題】ストッパの役目をする緩衝部材をシャッタ地板とともに２色成形で形成したコスト上で有利なカメラ用フォーカルプレンシャッタを提供すること。  【解決手段】シャッタ地板１の長孔１ｂには、その下端部に棚板部１ｂ−１，１ｂ−２と凹部１ｂ−３が形成されていて、棚板部１ｂ−１，１ｂ−２の両面を覆い且つ凹部１ｂ−３内を充たすようにして、シャッタ地板１の板厚内で緩衝部材４が形成されており、そこには先羽根用駆動部材６の駆動ピン６ｃが当接する。また、長孔１ｃの下端部に形成された緩衝部材５も同じ構成であって、そこには後羽根用駆動部材７の駆動ピン７ｃが当接する。そのほか、緩衝部材１３，１４には先羽根のアーム１６が当接し、緩衝部材１５には先羽根の羽根１８〜２０が当接する。そして、それらの緩衝部材４，５，１３〜１５は弾性を有していて、シャッタ地板１とともに合成樹脂材料による２色成形で形成されている。【選択図】  図２
2008191174.tif 000002
【特許請求の範囲】
【請求項１】
撮影光路用の開口部を有している合成樹脂製のシャッタ地板と、撮影光路用の開口部を有していて前記シャッタ地板との間に少なくとも一つの羽根室を構成している補助地板と、複数のアームとそれらのアームに枢支された少なくとも１枚の羽根とで構成されておりそれらのアームの一端が前記シャッタ地板に立設された複数の羽根取付軸に対し個々に回転可能に取り付けられている少なくとも一つのシャッタ羽根と、前記シャッタ地板に形成された円弧状の長孔を貫通し前記アームの一つに連結させた駆動ピンを有していて前記シャッタ地板の羽根室外の面に回転可能に取り付けられており往復回転をすることによって前記シャッタ羽根に前記開口部の開閉作動を行わせる少なくとも一つの駆動部材と、を備えているフォーカルプレンシャッタにおいて、前記シャッタ地板には、弾性を有する合成樹脂製の緩衝部材が、いずれも露光作動の終了時に、前記駆動部材の前記駆動ピンの当接し得る位置と、前記シャッタ羽根の前記アームの一つの当接し得る位置と、前記シャッタ羽根の前記羽根の当接し得る位置とのうちの少なくとも一つの位置に、該当接によって圧縮され得るようにして前記シャッタ地板と２色成形で形成されていることを特徴とするカメラ用フォーカルプレンシャッタ。
【請求項２】
前記駆動ピンの当接する前記緩衝部材は、前記長孔の長さ方向の端において、前記シャッタ地板の両面に突き出ないようにして形成されていることを特徴とする請求項１に記載のカメラ用フォーカルプレンシャッタ。
【請求項３】
前記補助地板が合成樹脂製であって、露光作動の終了時に、前記シャッタ羽根の前記アームの当接し得る位置に設けられている前記緩衝部材と、前記シャッタ羽根の前記羽根の当接し得る位置に設けられている前記緩衝部材とのうちの少なくとも一方が、前記補助地板と２色成形で形成されていることを特徴とする請求項１又は２に記載のカメラ用フォーカルプレンシャッタ。
【請求項４】
前記シャッタ地板の合成樹脂材料が液晶ポリマーであって、前記緩衝部材の合成樹脂材料が熱可塑性エラストマーであることを特徴とする請求項１乃至３のいずれかに記載のカメラ用フォーカルプレンシャッタ。
【発明の詳細な説明】
【技術分野】
【０００１】
本発明は、一つ又は二つのシャッタ羽根を備えているカメラ用フォーカルプレンシャッタに関する。
【背景技術】
【０００２】
カメラ用フォーカルプレンシャッタの中には、シャッタ地板，中間板，補助地板と称されている３枚の板部材の間に二つの羽根室を構成し、それらの羽根室に、先羽根，後羽根と称されている二つのシャッタ羽根を個別に配置するようにしたものと、シャッタ地板と補助地板との間に構成された羽根室に、一つのシャッタ羽根を配置するようにしたものとが知られている。そして、前者のフォーカルプレンシャッタは、銀塩フィルムカメラにもデジタルカメラにも採用することができるが、後者のフォーカルプレンシャッタは、デジタルカメラにだけ採用することができるものである。
【０００３】
また、いずれのフォーカルプレンシャッタの場合でも、シャッタ羽根の構成は略同じであり、長さ方向の一端をシャッタ地板に対して回転可能に取り付けた複数のアームと、それらのアームに枢支された少なくとも１枚の羽根とで構成されている。また、駆動部材は、シャッタ地板の羽根室外の面に回転可能に取り付けられており、その駆動ピンを、シャッタ地板に形成された円弧状の長孔から羽根室内に延伸させ、上記のアームの一つに連結させている。そのため、駆動部材が往復回転をすることによって、シャッタ羽根が露光開口の開閉作動を行うようになっている。
【０００４】
そして、その駆動部材は、下記の特許文献１，２にも記載されているように、一方へは、駆動ばねの付勢力によって回転させられ、他方へは、シャッタ地板に回転可能に取り付けられたセット部材によって回転させられるように構成されているのが普通である。しかしながら、最近では、そのような駆動ばねを用いることなく、電磁アクチュエータによって、両方向へ回転させられるように構成したものも知られている。
【０００５】
また、そのような構成のフォーカルプレンシャッタの場合には、駆動部材とシャッタ羽根は、少なくとも露光作動時においては高速で作動させられる。そのため、その露光作動の終了時には、弾性を有する緩衝部材に当接させ、その緩衝部材を一時的に圧縮させることによって停止させられるようにしているのが普通である。そこで、特許文献１に記載のフォーカルプレンシャッタにおいては、そのような緩衝部材を、駆動部材の駆動ピンが当接し得る位置と、シャッタ羽根のアームの一つが当接し得る位置と、シャッタ羽根の羽根が当接し得る位置とに備えるようにしているが、それらのうちの一つの位置又は二つの位置に備えているようにする場合もある。
【０００６】
そして、それらの緩衝部材のうち、駆動ピンの当接する緩衝部材は、特許文献２に具体的に記載されているように、駆動ピンを貫通させているシャッタ地板の長孔の長手方向の端に嵌め込んだり、接着したりすることが知られているが、実際に実施されているものとしては、嵌め込んでいるのが殆どである。また、アームの当接する緩衝部材は、特許文献１に記載されているように、シャッタ地板に接着剤で取り付けているのが一般的である。更に、羽根の当接する緩衝部材も、特許文献１に記載されているように、補助地板に接着剤で取り付けているのが一般的である。
【０００７】
しかしながら、先羽根と後羽根とを備えていて、先羽根を補助地板側の羽根室に配置しているフォーカルプレンシャッタの場合や、シャッタ羽根を一つだけしか備えていないフォーカルプレンシャッタの場合には、アームの当接する緩衝部材を、シャッタ地板に対してではなく、補助地板に取り付けるようにしても構わない。また、先羽根と後羽根とを備えていて、先羽根をシャッタ地板側の羽根室に配置しているフォーカルプレンシャッタの場合や、シャッタ羽根を一つだけしか備えていないフォーカルプレンシャッタの場合には、羽根の当接する緩衝部材を、補助地板に対してではなくシャッタ地板に対して取り付けるようにしたものもある。本発明は、このような緩衝部材を備えているフォーカルプレンシャッタに関するものである。
【０００８】
【特許文献１】特開２００１−２１９４２号公報
【特許文献２】特開平１０−１６１１８１号公報
【発明の開示】
【発明が解決しようとする課題】
【０００９】
上記したように、従来、駆動部材の駆動ピンが当接する緩衝部材は、単体部品として製作しておいてから、駆動ピンを貫通させているシャッタ地板の長孔の長手方向の端に嵌め込まれていた。しかしながら、シャッタ地板への組み付け作業は、緩衝部材を変形させておいて行う必要があることから自動化が困難であり、手作業で行わざるを得なかった。そのため、組立工数が大きくなり、コスト上で不利であるという問題があった。また、シャッタ羽根のアームが当接する緩衝部材やシャッタ羽根の羽根が当接する緩衝部材も、従来は単体部品として製作しておいてから、作業者が接着剤で取り付けていたため、接着剤の所定量の塗布作業や正規の位置への接着作業に手間どって工数が大きくなり、コスト上で不利であるという問題点があった。
【００１０】
本発明は、このような問題点を解決するためになされたものであり、その目的とするところは、駆動部材の駆動ピンが当接する緩衝部材と、シャッタ羽根のアームが当接する緩衝部材と、シャッタ羽根の羽根が当接する緩衝部材とのうち、少なくとも一つの緩衝部材が、合成樹脂製のシャッタ地板の成形時に、異なる合成樹脂材料で一体的に成形されるようにした、コスト上で有利なカメラ用フォーカルプレンシャッタを提供することである。
【課題を解決するための手段】
【００１１】
上記の目的を達成するために、本発明は、撮影光路用の開口部を有している合成樹脂製のシャッタ地板と、撮影光路用の開口部を有していて前記シャッタ地板との間に少なくとも一つの羽根室を構成している補助地板と、複数のアームとそれらのアームに枢支された少なくとも１枚の羽根とで構成されておりそれらのアームの一端が前記シャッタ地板に立設された複数の羽根取付軸に対し個々に回転可能に取り付けられている少なくとも一つのシャッタ羽根と、前記シャッタ地板に形成された円弧状の長孔を貫通し前記アームの一つに連結させた駆動ピンを有していて前記シャッタ地板の羽根室外の面に回転可能に取り付けられており往復回転をすることによって前記シャッタ羽根に前記開口部の開閉作動を行わせる少なくとも一つの駆動部材と、を備えているフォーカルプレンシャッタにおいて、前記シャッタ地板には、弾性を有する合成樹脂製の緩衝部材が、いずれも露光作動の終了時に、前記駆動部材の前記駆動ピンの当接し得る位置と、前記シャッタ羽根の前記アームの一つの当接し得る位置と、前記シャッタ羽根の前記羽根の当接し得る位置とのうちの少なくとも一つの位置に、該当接によって圧縮され得るようにして前記シャッタ地板と２色成形で形成されているようにする。
【００１２】
その場合、前記駆動ピンの当接する前記緩衝部材は、前記長孔の長さ方向の端において、前記シャッタ地板の両面に突き出ないようにして形成されているようにすると、シャッタ構成の設計に自由度が増すようになる。また、前記補助地板を合成樹脂製にしたときには、露光作動の終了時に、前記シャッタ羽根の前記アームの当接し得る位置に設けられている前記緩衝部材と、前記シャッタ羽根の前記羽根の当接し得る位置に設けられている前記緩衝部材とのうちの少なくとも一方が、前記補助地板と２色成形で形成されているようにしてもよい。更に、前記シャッタ地板の合成樹脂材料が液晶ポリマーであって、前記緩衝部材の合成樹脂材料が熱可塑性エラストマーであるようにすると、シャッタ地板の複雑な形状と強度が好適に得られるとともに、優れた弾性を有する緩衝部材が形成されることになる。
【発明の効果】
【００１３】
本発明のカメラ用フォーカルプレンシャッタは、駆動部材の駆動ピンが当接する緩衝部材と、シャッタ羽根のアームが当接する緩衝部材と、シャッタ羽根の羽根が当接する緩衝部材とのうち、少なくとも一つの緩衝部材が、合成樹脂製のシャッタ地板の成形時に、異なる合成樹脂材料で略同時に一体的に成形されるようにしたため、従来のように、シャッタ地板に対する取付け作業が必要なく、大幅にコストダウンを図れるという利点がある。
【発明を実施するための最良の形態】
【００１４】
本発明の実施の形態を、図示した実施例によって説明する。上記のように、本発明は、二つのシャッタ羽根を備えたフォーカルプレンシャッタにも、一つのシャッタ羽根を備えたフォーカルプレンシャッタにも適用することができるものであるが、実施例は、二つのシャッタ羽根を備えたフォーカルプレンシャッタに適用したものである。また、二つのシャッタ羽根を備えたフォーカルプレンシャッタは、上記のように、銀塩フィルムカメラにも、デジタルカメラにも採用することができるが、デジタルカメラに採用されていることを前提にして説明することにする。尚、図１〜図６は、実施例を示したものであって、図１は、セット状態を被写体側から見た平面図であり、図２は、セット状態を、補助地板を取り外して固体撮像素子側から見た平面図であり、図３は、図１のＡ−Ａ線断面図であり、図４は、図２の部分斜視図である。また、図５は、露光作動を終了した直後の状態を被写体側から見た平面図であり、図６は、露光作動を終了した直後の状態を、図２と同じようにして固体撮像素子側から見た平面図である。
【実施例】
【００１５】
先ず、本実施例の構成を、図１〜図４を用いて説明する。シャッタ地板１は、合成樹脂製であって、材料は、ガラス繊維を充填材として混入した液晶ポリマーである。このシャッタ地板１には、その略中央部に長方形を横長にした被写体光路用の開口部１ａを有している。シャッタ地板１の固体撮像素子側には、所定の間隔を空けて金属製の中間板２と合成樹脂製の補助地板３が、適宜な手段によって順に取り付けられていて、シャッタ地板１と中間板２との間に先羽根の羽根室を構成し、中間板２と補助地板３の間に後羽根の羽根室を構成している。
【００１６】
尚、シャッタ地板１は、図１においては、中間板２と補助地板３の一部が見えるようにするために、右下部を一部切除して示されているが、図５には切除しないで示してある。また、中間板２の全体形状は、図２に示されている。更に、補助地板３は、その一部が図１に示されているだけであって全体形状を示していないが、シャッタ地板１と略同じ輪郭をしている。そして、図１には、補助地板３に設けられていてシャッタ地板１の被写体側の縁に掛けている二つのフック部３ａ，３ｂが示されている。
【００１７】
図２に示されているように、中間板２の略中央部には、上記の開口部１ａと重なるところに、開口部１ａよりも若干大きい形状の開口部２ａが形成されている。また、図示していないが、補助地板３の略中央部にも、上記の開口部１ａと重なるところに、開口部１ａよりも若干大きい形状の開口部が形成されている。そのため、本実施例におけるシャッタユニットとしての露光開口は、シャッタ地板１の開口部１ａによって規制されている。
【００１８】
シャッタ地板１には、図１において、開口部１ａの左側の領域に、略円弧状をした二つの大きな長孔１ｂ，１ｃが形成されており、それらの下端には、シャッタ地板１との２色成形によって緩衝部材４，５が形成されている。そして、図２から分かるように、中間板２の右側の形状は、これらの長孔１ｂ，１ｃとの重なりを避けるように形成されている。また、図示されていないが、合成樹脂製の補助地板３には、これらの長孔１ｂ，１ｃと重なる領域に、円弧状をした略同じ形状をしているが、貫通はしていない長溝が形成されている。尚、本実施例の場合は、液晶ポリマーとの２色成形に好適であって、所望の衝撃吸収性が得られ易いことから、緩衝部材４，５の材料としては熱可塑性エラストマーを採用しているが、所望の衝撃吸収性が得られるのであれば、他の材料を用いても差し支えない。
【００１９】
また、上記した本実施例の長孔１ｂ，１ｃは、独特の形状をしており、図１において、それらの下端部には、シャッタ地板１の板厚の略中間部に二つずつの円弧状の棚板部１ｂ−１，１ｂ−２，１ｃ−１，１ｃ−２が形成されている。そして、図３に示された棚板部１ｂ−１と緩衝部材４との関係からも分かるように、緩衝部材４，５は、それらの棚板部１ｂ−１，１ｂ−２，１ｃ−１，１ｃ−２を挟むようにして両面側にわたって形成されているが、シャッタ地板１の両面からは突き出ないようにされている。更に、長孔１ｂ，１ｃは、棚板部１ｂ−１，１ｂ−２，１ｃ−１，１ｃ−２を形成していない最下端部中央に、下方に開いた楔型の凹部１ｂ−３，１ｃ−３を有していて、緩衝部材４，５は、その内部にも材料が充填されて形成されている。
【００２０】
図１に示されているように、シャッタ地板１の被写体側の面には、軸１ｄ，１ｅ，１ｆが立設されていて、それらに先羽根用駆動部材６，後羽根用駆動部材７，セット部材８が回転可能に取り付けられている。そして、それらのうち、先羽根用駆動部材６と後羽根用駆動部材７は、被押動部６ａ，７ａと、取付部６ｂ，７ｂと、駆動ピン６ｃ，７ｃとを有していて、図示していない周知の先羽根用駆動ばねと後羽根用駆動ばねによって、時計方向へ回転するように付勢されている。また、取付部６ｂ，７ｂには、特許文献１，２にも具体的な構成が示されているように、周知の鉄片部材９，１０が取り付けられている。更に、駆動ピン６ｃ，７ｃは、根元側の断面形状が円形をし、先端側の断面形状が小判型をしていて、上記の長孔１ｂ，１ｃから羽根室内に挿入されている。
【００２１】
また、セット部材８は、押動部８ａ，８ｂと被押動部８ｃとを有していて、図示していない周知の復帰ばねによって反時計方向へ回転するように付勢されているが、図１においては、図示していないカメラ側の部材が被押動部８ｃに接触して、その回転を抑止している。そのため、その抑止が解かれたときには、セット部材８は、反時計方向へ回転させられることになるが、その回転は、シャッタ地板１に設けられた図示していないストッパによって停止させられるようになっている。図５には、そのセット部材８の反時計方向への回転停止位置が示されているが、以下においては、その停止位置を初期位置ということにする。
【００２２】
シャッタ地板１の被写体側の面には、上記の軸１ｄ，１ｅ，１ｆのほか、開口部１ａの左側に、図示していない複数の軸が立設されており、それらの軸の先端に、シャッタ地板１と平行になるようにして、図示していない周知の支持板とプリント配線板とを重ねて取り付けている。そして、プリント配線板よりもシャッタ地板１側に取り付けられた支持板には、周知の先羽根用電磁石と後羽根用電磁石が取り付けられているが、図１及び図５においては、それらの鉄芯１１，１２の配置状態だけが二点鎖線で示されている。
【００２３】
図２に示されているように、シャッタ地板１の羽根室側の面には、被写体側の面に立設されている上記の軸１ｄ，１ｅと同心になるようにして軸１ｇ，１ｈが立設されているほか、軸１ｉ，１ｊ，１ｋが立設されている。そして、それらの軸のうち、軸１ｋの周囲には、リング状をした緩衝部材１３が、上記の緩衝部材４，５と同じ材料を用い、それらと同時に２色成形で形成されている。また、シャッタ地板１の下方に形成されされている外壁部１ｍには、楔型の凹形状に形成された三つの凹部１ｎ，１ｐ，１ｑが形成されていて、それらの内部にも材料が充填されるようにして、外壁部１ｍの内側に二つの緩衝部材１４，１５が、緩衝部材１３と同様に２色成形で同時に形成されている。そして、それらの三つの緩衝部材１３，１４，１５は、図４に示されている緩衝部材１４の場合からも分かるように、本実施例の場合には、外壁部１ｍの高さいっぱいまで形成されているが、シャッタ地板１と中間板２との間隔を超えて形成されていれば、必ずしも本実施例のようにする必要はない。
【００２４】
上記したように、シャッタ地板１と中間板２との間の羽根室には先羽根が配置され、中間板２と補助地板３との間の羽根室には後羽根が配置されているが、それらの先羽根と後羽根は周知の構成をしている。即ち、図２に示されているように、先羽根は、二つのアーム１６，１７と、それらの長さ方向へ順に枢支された３枚の羽根１８，１９，２０とで構成されていて、アーム１６，１７は、羽根１８，１９，２０よりもシャッタ地板１側に配置されており、それらの一端が上記の軸１ｇ，１ｉに回転可能に取り付けられている。そして、上記した先羽根用駆動部材６の駆動ピン６ｃが、アーム１６に形成されている小判型の孔に嵌合しており、その先端を、補助地板３に形成されている上記した図示していない円弧状の長溝に挿入している。また、合計６箇所における羽根１８，１９，２０の枢支構成は同じであって、周知のように、リベット部材である連結軸を、アームに形成された孔と羽根に形成された孔に順に挿入し、カシメ加工によってその先端を羽根に固定している。そのため、それらの連結軸の頭部は、アーム１６，１７から、シャッタ地板１側に突き出ていることになる。
【００２５】
他方、後羽根は、二つのアーム２１，２２と、それらの長さ方向へ順に枢支された３枚の羽根２３，２４，２５とで構成されているが、羽根室内には、先羽根を裏返した状態にして配置されているため、アーム２１，２２は、羽根２３，２４，２５よりも補助地板３側に配置されており、それらの一端が上記の軸１ｈ，１ｊに回転可能に取り付けられている。そして、羽根２３，２４，２５の枢支構成は、先羽根の場合と全く同じであるから、各連結軸の頭部は、アーム２１，２２から、補助地板３側に突き出ていることになる。また、上記した後羽根用駆動部材７の駆動ピン７ｃが、アーム２１に形成されている小判型の孔に嵌合しており、その先端を、補助地板３に形成されている上記した図示していない円弧状の長溝に挿入している。
【００２６】
次に、本実施例の作動を説明する。図１は、セット状態、即ち撮影待機状態を示したものである。上記したように、このとき、セット部材８は、図示していないカメラ本体側の部材によって被押動部８ｃを押され、図示していない復帰ばねの付勢力に抗して、初期位置からセット位置まで時計方向へ回転させられ、セット状態を維持されている。また、先羽根用駆動部材６は、セット部材８によって、図示していない先羽根用駆動ばねの付勢力に抗して反時計方向へ回転されており、鉄片部材９を先羽根用電磁石の鉄芯１１に接触させている。そのため、アーム１６が駆動ピン６ｃに連結されている先羽根は、３枚の羽根１８〜２０の重なり量を最小にして開口部１ａを覆っている。他方、後羽根用駆動部材７も、セット部材８によって、図示していない後羽根用駆動ばねの付勢力に抗して反時計方向へ回転させられており、鉄片部材１０を後羽根用電磁石の鉄芯１２に接触させている。そのため、アーム２１が駆動ピン７ｃに連結されている後羽根は、３枚の羽根２３〜２５の重なり量を最大にして開口部１ａの上方位置に格納されている。
【００２７】
撮影に際して、レリーズボタンが押されると、先ず、先羽根用電磁石と後羽根用電磁磁石に通電されるので、夫々の鉄芯１１，１２が、鉄片部材９，１０を吸着保持する。その後、セット部材８の被押動部８ｃに対する図示していないカメラ本体側の部材による抑止力が解かれ、セット部材８は、図示していない復帰ばねの付勢力によって図１の位置から反時計方向へ回転させられる。そして、その回転の初期段階において、セット部材８の押動部８ａ，８ｂが各駆動部材６，７の被押動部６ａ，７ａから離れることになるが、その段階においては、各駆動部材６，７は、既に上記のように鉄片部材９，１０が鉄芯１１，１２に吸着保持されているので、露光作動を開始してしまうことがない。その後、セット部材８が初期位置に復帰して停止すると、二つの電磁石に対する通電が、露光制御回路によって決められた時間間隔で順に断たれることになる。
【００２８】
そこで先ず、先羽根用電磁石に対する通電が断たれると、鉄片部材９に対する鉄芯１１の吸引力が失われるため、先羽根用駆動部材６は、図示していない先羽根用駆動ばねの付勢力によって急速に時計方向へ回転させられる。そのため、先羽根は、駆動ピン６ｃによって露光作動を行わされ、３枚の羽根１８〜２０は、羽根同士の重なりを大きくしつつ略下方へ移動し、開口部１ａを上方から開いていく。次に、後羽根用電磁石に対する通電が断たれると、鉄片部材１０に対する鉄芯１２の吸引力が失われるため、後羽根用駆動部材７は、図示していない後羽根用駆動ばねの付勢力によって急速に時計方向へ回転させられる。そのため、後羽根は、駆動ピン７ｃによって露光作動を行わされ、３枚の羽根２３〜２５は、羽根同士の重なりを小さくしつつ略下方へ移動し、開口部１ａを上方から閉じていく。従って、その後は、先羽根の羽根２０と後羽根の羽根２５との間に形成されるスリットにより、固体撮像素子の撮像面を順に露光していくことになる。
【００２９】
その後、先羽根の羽根２０が開口部１ａから完全に退くと、先羽根用駆動部材６の駆動ピン６ｃが緩衝部材４に当接し、先羽根のアーム１６が緩衝部材１３，１４に当接し、先羽根の羽根１８〜２０が緩衝部材１５に当接することによって、先羽根用駆動部材６と先羽根の作動が停止する。そして、駆動ピン６ｃが緩衝部材４に当接したときには、緩衝部材４を一時的に圧縮させることによって制動され且つバウンドを防止されるが、本実施例の場合には、長孔１ｂの棚板部１ｂ−１，１ｂ−２が駆動ピン６ｃの作動軌跡の延長線上に形成されておらず、しかも緩衝部材４の一部が長孔１ｂの凹部１ｂ−３内にも形成されているため、緩衝部材４は大きく圧縮され、制動やバウンド防止が好適に行えるようになっている。また、このように、緩衝部材４の一部が凹部１ｂ−３内にも形成されていることから、緩衝部材４が、万が一にも長孔１ｂから外れることがない。
【００３０】
ところで、上記のように、駆動ピン６ｃが緩衝部材４に当接して先羽根用駆動部材６が好適に停止しても、先羽根までもが好適に停止することにはならない。即ち、駆動ピン６ｃと、それが嵌合しているアーム１６の孔との間には嵌合公差があるし、軸１ｇ，１ｉと、それらが嵌合しているアーム１６，１７の孔との間にも嵌合公差がある。そのため、アーム１６，１７に対する何らかのストッパがないと、先羽根用駆動部材６が停止しても、アーム１６，１７は慣性だけで若干回転させられてしまうことになる。同様に、各羽根１８〜２０に一体化されている連結軸と、それらが嵌合しているアーム１６，１７の孔との間にも嵌合公差がある。そのため、羽根１８〜２０に対する何らかのストッパがないと、アーム１６，１７が停止しても、羽根１８〜２０は慣性だけで若干回転させられてしまうことになる。従って、先羽根は、先羽根用駆動部材６よりも相対的に余分な運動をしてしまい、特に羽根１８〜２０の先端部（図２における左端部）の作動領域を大きく確保する必要が生じてくる。
【００３１】
そのため、先羽根に何らかのストッパを設けない場合には、開口部１ａの下方に、必要以上の領域を確保する必要が生じ、シャッタ地板１の上下寸法を大きくしなければならないことになる。また、それだからといって、硬質のストッパを設けて小型化を図ろうとすると、当接したときに生じるバウンドで、主として羽根２０が一時的に開口部１ａの一部を覆ってしまうことがある。そのため、この種のフォーカルプレンシャッタの場合には、先羽根用駆動部材の駆動ピンの当接する緩衝部材を設ける場合でも、そのほかに先羽根の当接する緩衝部材を少なくとも一つ設けることが多い。そこで、本実施例の場合には、上記の緩衝部材４を設けているほかに、アーム１６の当接する緩衝部材１３，１４と、羽根１８〜２０の当接する緩衝部材１５とを設けるようにしている。そのため、本実施例においては、先羽根も各緩衝部材１３〜１５を一時的に圧縮し、好適に停止するようになっている。しかも、緩衝部材１３は、軸１ｋの周りに設けられているし、緩衝部材１４，１５は、それらの一部が凹部１ｎ，１ｐ，１ｑ内にも形成されているので、万が一にも外れないようになっている。
【００３２】
先羽根の露光作動は、上記のようにして終了するが、後羽根の方は、羽根２５が開口部１ａを覆い終わると、その直後に、後羽根用駆動部材７の駆動ピン７ｃが緩衝部材５に当接する。そして、後羽根用駆動部材７は、駆動ピン７ｃが緩衝部材５に当接すると、緩衝部材５を一時的に圧縮させることによって制動され且つバウンドを防止されて停止する。また、本実施例の緩衝部材５も、上記の緩衝部材４と実質的に同じ構成をしているため、駆動ピン７ｃの当接によって大きく圧縮され、後羽根用駆動部材７の制動やバウンド防止を好適に行うことになる。また、緩衝部材５は、その一部が凹部１ｃ−３内にも形成されているので、万が一にも長孔１ｃから外れることがない。
【００３３】
ところで、本実施例の場合、後羽根用駆動部材７には緩衝部材５を設けているが、後羽根には緩衝部材を設けていない。その理由は、後羽根の場合には、開口部１ａを閉鎖してから羽根２５の作動し得る領域が、開口部１ａの下方に十分に存在するからである。しかしながら、後羽根の場合であっても、開口部１ａを閉鎖した後には、早期に静止することが好ましい。そして、そのようにする方法の一例としては、後羽根の羽根室内における後羽根の露光作動終了位置において、補助地板３に、上記の軸１ｋ，壁部１ｍに相当する軸部や壁部を形成し、そこに緩衝部材を２色成形で設けるようにし、それらの緩衝部材にアーム２２や羽根２５を当接させるようにする方法がある。従って、本実施例の場合にも、性能上，コスト上のことを勘案して、そのような構成を採用すると、より優れたものになる。図５，図６は、このようにして露光作動が終了し、先羽根の羽根１８〜２０が重畳されて開口部１ａの下方位置に格納され、後羽根の羽根２３〜２５が展開されて開口部１ａを覆った状態を示したものである。そして、この状態において、撮像情報が固体撮像素子から記憶装置に転送される。
【００３４】
撮像情報が記憶装置に転送されると、直ちにセット作動が行われる。その場合には、図５の状態において、図示していないカメラ本体側の部材がセット部材８の被押動部８ｃを押して、セット部材８を、図示していない復帰ばねの付勢力に抗して時計方向へ回転させる。それによって、セット部材８は、先ず、その押動部８ａが、先羽根用駆動部材６の被押動部６ａを押し、図示していない先羽根用駆動ばねの付勢力に抗して先羽根用駆動部材６を反時計方向へ回転させはじめる。そして、その後、先羽根のスリット形成用の羽根２０が、後羽根のスリット形成用の羽根２５に所定量重なると、セット部材８の押動部８ｂが、後羽根用駆動部材７の被押動部７ａを押すことにより、図示していない後羽根用駆動ばねの付勢力に抗して後羽根用駆動部材７を反時計方向へ回転させはじめる。そのため、先羽根の羽根１８〜２０は、羽根同士の重なりを小さくしつつ上方へ作動し、後羽根の羽根２３〜２５は、羽根同士の重なりを大きくしつつ上方へ作動していく。
【００３５】
このようにして、セット作動が行われてゆき、先羽根の羽根１８〜２０が展開して開口部１ａを覆い、後羽根の羽根２３〜２５が重畳して開口部１ａの上方位置に格納された状態になると、各駆動部材６，７に取り付けられている鉄片部材９，１０が、先羽根用電磁石と後羽根用電磁石の鉄芯１１，１２に接触するようになる。そして、その状態になると、図示していないカメラ本体側の部材による押動が停止することによって、図１，図２に示されたセット状態になり、次の撮影までこの状態で待機することになる。
【００３６】
尚、本実施例の場合には、先羽根をシャッタ地板１と中間板２の間に配置し、後羽根を中間板２と補助地板３の間に配置しているが、周知のように、後羽根をシャッタ地板１と中間板２の間に配置し、先羽根を中間板２と補助地板３の間に配置してもよい。また、上記したように、本実施例の緩衝部材４，５は、図３に示されている緩衝部材４のように、シャッタ地板１の板厚を画定する両面から突き出ていないが、本発明は、このように形成することには限定されない。しかしながら、本実施例のように形成すると、金型の製作が容易になるし、シャッタ地板１の両面に配置される部材の設計が容易になるという利点がある。特に、後羽根をシャッタ地板１と中間板２の間に配置した場合を想定すれば、そのことを具体的に理解することができる。
【００３７】
即ち、後羽根をシャッタ地板１と中間板２の間に配置する構成にした場合は、本実施例の先羽根の構成からも分かるように、アーム２１，２２が羽根２３〜２５よりもシャッタ地板１側になる。そのため、羽根２３〜２５を枢支するのに必要な合計６個の連結軸は、それらの頭部をアーム２１，２２からシャッタ地板１側に突き出していることになる。そこで、アーム２１と羽根２３とを連結している連結軸と、アーム２２と羽根２４とを連結している連結軸に注目すると、これら二つの連結軸は、後羽根が図２の状態と図６の状態の間を作動するとき、それらの頭部が緩衝部材５の位置を通過することになる。そのため、緩衝部材５が羽根室側に突き出ていると、それらの連結軸の頭部が緩衝部材５に衝突して、後羽根の安定した作動が得られなくなってしまい、後羽根の設計変更を余儀なくされてしまうことになるが、本実施例のように突き出ていないようにすれば、そのような問題は考慮する必要がなくなる。
【００３８】
また、本実施例においては、緩衝部材４，５，１３，１４，１５が、シャッタ地板１と一体に成形されている。しかしながら、本発明は、そのように構成することに限定されない。それらのうちの一つだけが２色成形で形成されていて、他の緩衝部材は、必要に応じて、従来のようにして設けるようにしても構わない。その場合、緩衝部材１３，１４，１５は、単体部品として製作し補助地板３に取り付けるようにしても構わないが、本実施例のように、補助地板３が合成樹脂製の場合には、補助地板３との２色成形で形成するようにすることが好ましい。
【００３９】
更に、上記においては、本実施例のフォーカルプレンシャッタがデジタルカメラに採用された場合で説明したが、銀塩フィルムを使用するカメラにも採用できることは言うまでもない。また、デジタルカメラに採用するときには、本実施例のように、シャッタ地板１を被写体側にせず、補助地板３を被写体側にして配置する場合もある。更に、本実施例における後羽根用駆動部材６，後羽根，後羽根用電磁石を備えなければ、一つのシャッタ羽根を備えたデジタルカメラ用のフォーカルプレンシャッタになる。そして、そのように構成したものも本発明に含まれる。更に、本実施例の駆動部材６，７は、露光作動時に、駆動ばねの付勢力によって回転させられるが、最近では、上記のような電磁石や駆動ばねを備えず、電磁アクチュエータによって往復回転させられるものも知られている。本発明は、そのような構成のものにも適用される。
【図面の簡単な説明】
【００４０】
【図１】セット状態を被写体側から見た実施例の平面図である。
【図２】セット状態を固体撮像素子側から見た実施例の平面図である。
【図３】図１のＡ−Ａ線断面図である。
【図４】図２の部分斜視図である。
【図５】露光作動を終了した直後の状態を被写体側から見た実施例の平面図である。
【図６】露光作動を終了した直後の状態を固体撮像素子側から見た実施例の平面図である。
【符号の説明】
【００４１】
１                              シャッタ地板
１ａ，２ａ                      開口部
１ｂ，１ｃ                      長孔
１ｂ−１，１ｂ−２，１ｃ−１，１ｃ−２  棚板部
１ｂ−３,１ｃ−３,１ｎ，１ｐ，１ｑ  凹部
１ｄ，１ｅ，１ｆ，１ｇ，１ｈ，１ｉ，１ｊ，１ｋ  軸
１ｍ                            外壁部
２                              中間板
３                              補助地板
３ａ，３ｂ                      フック部
４，５，１３，１４，１５        緩衝部材
６                              先羽根用駆動部材
６ａ，７ａ，８ｂ                被押動部
６ｂ，７ｂ                      取付部
６ｃ，７ｃ                      駆動ピン
７                              後羽根用駆動部材
８                              セット部材
８ａ，８ｂ                      押動部
９，１０                        鉄片部材
１１，１２                      鉄芯
１６，１７，２１，２２          アーム
１８，１９，２０，２３，２４，２５  羽根
【図１】
2008191174.tif 000003
【図２】
2008191174.tif 000004
【図３】
2008191174.tif 000005
【図４】
2008191174.tif 000006
【図５】
2008191174.tif 000007
【図６】
2008191174.tif 000008